(57)【要約】  本技術は、所望の速度で連写撮影を行うことができるようにする画像処理装置、画像処理方法、およびプログラムに関する。制御部は、画像の撮影周期に応じて表示パネルの駆動周波数を切り替える制御を行う。本技術は、例えば、デジタルスチルカメラ、デジタルビデオカメラ、スマートフォン等、連写撮影機能を備える電子機器に適用できる。
2018092596.tif 000002
【特許請求の範囲】
【請求項１】
画像の撮影周期に応じて表示パネルの駆動周波数を切り替える制御を行う制御部
を備える画像処理装置。
【請求項２】
前記制御部は、前記画像の撮影周期が現在の前記表示パネルの表示周期の倍数であるかに応じて、前記表示パネルの駆動周波数を切り替える
請求項１に記載の画像処理装置。
【請求項３】
前記制御部は、前記画像の撮影周期と前記表示パネルの表示周期との対応テーブルに応じて、前記表示パネルの駆動周波数を切り替える
請求項１に記載の画像処理装置。
【請求項４】
前記画像の撮影周期は、静止画を連写撮影するときの周期である
請求項１に記載の画像処理装置。
【請求項５】
前記制御部は、前記表示パネルの駆動周波数として、NTSC方式の６０HzとPAL方式の５０Hzとを切り替える
請求項１に記載の画像処理装置。
【請求項６】
静止画を撮影する撮影部と、前記表示パネルとをさらに備え、
前記制御部は、静止画を前記表示パネルに表示する場合には、前記表示パネルの駆動周波数を切り替えない
請求項１に記載の画像処理装置。
【請求項７】
前記画像の撮影周期を動作設定情報として記憶する記憶部をさらに備え、
前記制御部は、前記動作設定情報として記憶されている前記画像の撮影周期に応じて、表示パネルの駆動周波数を切り替える制御を行う
請求項１に記載の画像処理装置。
【請求項８】
ユーザによる前記画像の撮影周期の設定操作を受け付ける操作部をさらに備え、
前記制御部は、ユーザにより設定された前記画像の撮影周期に応じて、表示パネルの駆動周波数を切り替える制御を行う
請求項１に記載の画像処理装置。
【請求項９】
前記制御部は、複数の画像を前記撮影周期で撮影する場合に、前記表示パネルの駆動周波数を切り替える制御を行う
請求項１に記載の画像処理装置。
【請求項１０】
前記制御部は、再生モードから撮影モードに変更された場合に、前記画像の撮影周期に応じて表示パネルの駆動周波数を切り替える制御を行う
請求項１に記載の画像処理装置。
【請求項１１】
前記制御部は、撮影モードから再生モードに変更された場合で、かつ、再生コンテンツが静止画である場合、前記表示パネルの駆動周波数を切り替えない
請求項１に記載の画像処理装置。
【請求項１２】
前記制御部は、外部表示機器が接続されたことが検出された場合に、前記外部表示機器の駆動方式に応じて、前記表示パネルの駆動周波数を切り替える制御をさらに行う
請求項１に記載の画像処理装置。
【請求項１３】
画像処理装置が、
画像の撮影周期に応じて表示パネルの駆動周波数を切り替える制御を行う
ステップを含む画像処理方法。
【請求項１４】
コンピュータを、
画像の撮影周期に応じて表示パネルの駆動周波数を切り替える制御を行う制御部
として機能させるためのプログラム。
【発明の詳細な説明】
【技術分野】
【０００１】
本技術は、画像処理装置、画像処理方法、およびプログラムに関し、特に、表示駆動方式に関わらず、所望の速度で連写撮影を行うことができるようにした画像処理装置、画像処理方法、およびプログラムに関する。
【背景技術】
【０００２】
デジタルスチルカメラ（以下、単にカメラとも称する。）は、静止画だけでなく、動画も撮影可能である。動画の表示駆動方式には、例えば、NTSC方式とPAL方式があり、デジタルスチルカメラでは、表示駆動方式を設定する機能が搭載されている（例えば、特許文献１，２参照）。デジタルスチルカメラは、設定された表示駆動方式に従って、液晶パネルやファインダーの駆動周波数や作成（記録）する動画のフレームレートを変更する。また、カメラで撮影した動画を、テレビジョン受像機などの外部表示機器に出力して表示させる場合には、予めカメラの表示駆動方式を外部表示機器の表示駆動方式に合わせて撮影する必要がある。【０００３】
一方で、近年、デジタルスチルカメラにおいて複数枚の静止画を高速に連続撮影する連写機能が飛躍的に向上しており、例えば、20fps（frame per second）で連写できるカメラも存在している。
【先行技術文献】
【特許文献】
【０００４】
【特許文献１】特開平１１−２１５４４１号公報
【特許文献２】特開２００４−３３６６０８号公報
【発明の概要】
【発明が解決しようとする課題】
【０００５】
しかしながら、連写撮影時の駆動も動画の表示駆動方式に依存するため、連写速度が表示駆動方式によって低下してしまうことがある。【０００６】
例えば、カメラの連写速度が1/20秒ごとに一枚の静止画を撮影する20fpsの設定となっているとする。表示駆動方式がNTSC方式である場合、1/60秒で1フレーム更新されるため、20fpsで連写撮影するためには、１枚の静止画を3フレーム時間ごとに撮影すればよく、連写のタイミングが表示周期の整数倍となるので、カメラは20fpsで連写撮影できる。【０００７】
一方、表示駆動方式がPAL方式である場合、1/50秒で1フレーム更新されるため、20fpsで連写撮影するためには、１枚の静止画を2.5フレーム時間ごとに撮影する必要がある。しかしながら、連写のタイミングは表示駆動のタイミングと同期をとる必要があるため、１枚の静止画を3フレーム時間ごとに撮影する連写速度になってしまい、連写速度は16.6fpsに低下してしまう。【０００８】
本技術は、このような状況に鑑みてなされたものであり、表示駆動方式に関わらず、所望の速度で連写撮影を行うことができるようにするものである。
【課題を解決するための手段】
【０００９】
本技術の一側面の画像処理装置は、画像の撮影周期に応じて表示パネルの駆動周波数を切り替える制御を行う制御部を備える画像処理装置。【００１０】
本技術の一側面の画像処理方法は、画像処理装置が、画像の撮影周期に応じて表示パネルの駆動周波数を切り替える制御を行うステップを含む。【００１１】
本技術の一側面のプログラムは、コンピュータを、画像の撮影周期に応じて表示パネルの駆動周波数を切り替える制御を行う制御部として機能させるためのものである。【００１２】
本技術の一側面においては、画像の撮影周期に応じて表示パネルの駆動周波数が切り替えられる。【００１３】
なお、プログラムは、伝送媒体を介して伝送することにより、又は、記録媒体に記録して、提供することができる。【００１４】
記録装置は、独立した装置であっても良いし、１つの装置を構成している内部ブロックであっても良い。
【発明の効果】
【００１５】
本技術の一側面によれば、表示駆動方式に関わらず、所望の速度で連写撮影を行うことができる。【００１６】
なお、ここに記載された効果は必ずしも限定されるものではなく、本開示中に記載されたいずれかの効果であってもよい。
【図面の簡単な説明】
【００１７】
【図１】本技術を適用したカメラの一実施の形態の構成例を示すブロック図である。
【図２】駆動方式の変更による黒画の発生を説明する図である。
【図３】動画がPAL方式のときの各画面と表示駆動方式との対応関係を示す図である。
【図４】連写撮影モードに変更時の駆動制御処理を説明するフローチャートである。
【図５】再生モードに変更時の駆動制御処理を説明するフローチャートである。
【図６】連写速度変更時の駆動制御処理を説明するフローチャートである。
【図７】外部表示機器接続の駆動制御処理を説明するフローチャートである。
【図８】動画がNTSC方式のときの各画面と表示駆動方式との対応関係を示す図である。
【図９】連写速度と駆動周波数の対応テーブルを示す図である。
【図１０】本技術を適用したコンピュータの一実施の形態の構成例を示すブロック図である。
【発明を実施するための形態】
【００１８】
以下、本技術を実施するための形態（以下、実施の形態という）について説明する。なお、説明は以下の順序で行う。
１．カメラのブロック図
２．各画面と表示駆動方式の対応関係
３．連写撮影モードに変更時の駆動制御処理フロー
４．再生モード変更時の駆動制御処理フロー
５．連写速度変更時の駆動制御処理フロー
６．外部表示機器接続時の駆動制御処理フロー
７．まとめ
８．変形例
９．コンピュータの例
【００１９】
＜１．カメラのブロック図＞
図１は、本技術を適用したカメラ（撮像装置）の一実施の形態の構成例を示すブロック図である。
【００２０】
図１のカメラ１は、静止画または動画を撮影する撮影モードと、撮影したコンテンツ（静止画または動画）を再生する再生モードの２つの状態モードを持ち、撮影モード内において、さらに、静止画を撮影する静止画モードと、動画を撮影する動画モードの２つの撮影動作モードを備えるデジタルスチルカメラである。また、カメラ１は、連写機能も備えており、静止画モードにおいて、予め設定した枚数（連写枚数）の静止画を連続撮影（連写撮影）することができる。
【００２１】
カメラ１において、被写体OBJの像が撮像レンズLNSを介してイメージセンサ１１に投影され、受光される。イメージセンサ１１は、被写体OBJを撮影する撮影部であり、例えば、CCD(Charge Coupled Device)やCMOS（Complementary Metal Oxide Semiconductor）イメージセンサで構成される。イメージセンサ１１は、カメラ信号処理回路１３から供給される同期信号に従って入射光の光量を画素単位で電気信号に変換し、画素信号としてA/Dコンバータ１２に出力する。
【００２２】
A/Dコンバータ１２は、イメージセンサ１１から供給されるアナログの画素信号をデジタルの画像データに変換して、カメラ信号処理回路１３に出力する。カメラ信号処理回路１３は、A/Dコンバータ１２から供給される画像データに対してホワイトバランスの補正およびガンマ補正などの処理を施し、さらにYUV形式の画像データに変換して、メモリコントローラ１４に供給する。
【００２３】
メモリコントローラ１４は、カメラ信号処理回路１３から供給される画像データを、画像バス１５を通じてメモリ１６の表示用エリアに書き込む。このメモリ１６の表示用エリアは、いわゆるビデオRAMを構成するもので、そのアドレスと表示画面上のドット位置とが対応している。
【００２４】
メモリコントローラ１４は、メモリ１６の表示用エリアに書き込まれた画像データを読み出し、画像バス１５を通じて表示用信号処理回路１７に供給する。表示用信号処理回路１７は、画像データをRGB形式の画像データに変換するとともに、アナログ画像信号にD/A変換して、表示パネル１８に供給し、カラー画像として表示させる。また、表示用信号処理回路１７は、アナログ画像信号と同時にカラービデオ信号も形成し、外部出力端子１９から出力して、テレビジョン受像機などの外部表示機器（図示せず）に表示させることもできる。
【００２５】
また、メモリコントローラ１４は、メモリ１６の表示用エリアに書き込まれた画像データを、画像バス１５を通じて画像圧伸回路２１に供給し、例えばJPEGフォーマットやMPEGフォーマット等の所定のフォーマットの符号化データに画像圧縮させる。この圧縮された符号化データは、画像バス１５を通じてメモリ１６の作業用エリアに一時的に記憶される。そして、メモリコントローラ１４は、メモリ１６の作業用エリアに書き込まれた符号化データを読み出し、マイクロコンピュータ２２を介して半導体メモリ等の着脱可能な記憶メディア２３に書き込む（保存する）。
【００２６】
記憶メディア２３に書き込まれた画像データを再生（表示）する場合には、メモリコントローラ１４が、マイクロコンピュータ２２を介して記憶メディア２３に保存された符号化データを読み出し、メモリ１６の作業用エリアに一時的に記憶させる。そして、メモリコントローラ１４は、メモリ１６の作業用エリアに記憶させた符号化データを画像圧伸回路２１に供給して元の画像データに伸長させた後、メモリ１６の表示用エリアに書き込む。メモリ１６の表示用エリアに書き込まれた画像データは、上記のように表示用信号処理回路１７により処理されて、表示パネル１８においてカラー画像として表示されたり、外部出力端子１９からカラービデオ信号として出力される。
【００２７】
表示パネル１８は、例えば、LCD(Liquid Crystal Display)や有機EL(Electro Luminescence)ディスプレイ等の薄型ディスプレイで構成され、メモリ１６の表示用エリアに書き込まれた静止画または動画を表示する。
【００２８】
同期信号生成回路２４は、例えば、NTSC方式、PAL方式等の所定の表示駆動方式に合わせた周波数の同期信号を生成し、イメージセンサ１１、カメラ信号処理回路１３、表示用信号処理回路１７等に供給する。
【００２９】
操作部３１は、動画撮影と静止画撮影の撮影動作モードを切り替える撮影動作モードダイヤル、シャッタ操作を行うレリーズボタン、１秒間に連続撮影する枚数（以下、連写速度という）、シャッタ速度、絞り値などを調整する調整ダイヤル等の各種の操作ダイヤルや操作ボタンを含み、ユーザの操作を受け付け、受け付けた操作情報を制御部３２に供給する。なお、表示パネル１８にタッチパネルが重畳されている場合には、タッチパネルで指定された操作情報も、操作部３１から制御部３２に供給される。
【００３０】
制御部３２は、不揮発メモリ３３に記憶された動作設定情報や、操作部３１が受け付けたユーザ操作に応じて、カメラ１全体の動作を制御する。動作設定情報には、表示パネル１８の表示駆動方式や、連写速度などが含まれる。
【００３１】
不揮発メモリ３３は、カメラ１の電源がオフされた状態でも記憶可能なメモリであり、カメラ１の各種の動作を設定する動作設定情報や、カメラ１の動作を制御するプログラム等を記憶する。
【００３２】
以上のように構成されるカメラ１では、表示パネル１８の表示駆動方式として、NTSC方式とPAL方式の２種類の駆動方式が可能である。NTSC方式は、駆動周波数６０Hzで１秒間に３０枚の画像を表示する駆動方式であり、PAL方式は、駆動周波数５０Hzで１秒間に２５枚の画像を表示する駆動方式である。
【００３３】
制御部３２は、動画を撮影したり、再生（表示）する場合、動作設定情報として不揮発メモリ３３に記憶された表示駆動方式に従った駆動方式で、動画の撮影および再生（表示）を行うように制御する。この動作設定情報としての表示駆動方式は、ユーザの設定操作によって変更可能である。
【００３４】
例えば、動画の表示駆動方式としてNTSC方式が設定されている場合、制御部３２は、同期信号生成回路２４に６０Hzの同期信号を生成させ、カメラ信号処理回路１３、表示用信号処理回路１７等に供給させる。
【００３５】
一方、動画の表示駆動方式としてPAL方式が設定されている場合、制御部３２は、同期信号生成回路２４に５０Hzの同期信号を生成させ、カメラ信号処理回路１３、表示用信号処理回路１７等に供給させる。
【００３６】
表示駆動方式を変更する場合、駆動周波数が変更されるので、表示パネル１８の再起動を行う必要がある。そのため、図２に示されるように、PAL方式からNTSC方式へ変更する場合、および、NTSC方式からPAL方式へ変更する場合のそれぞれにおいて、一瞬（０．５秒程度）、表示パネル１８の画面を更新できない期間（例えば、黒画の状態）が発生する（以降、この期間中の表示パネル１８の状態を黒画と表現する）。
【００３７】
ところで、上述したように、連写撮影時の駆動は、動画の表示駆動方式に依存するため、連写速度が表示駆動方式によって低下してしまうことがある。
【００３８】
連写速度が20fpsに設定されている場合、表示駆動方式がNTSC方式であれば、連写のタイミングが表示周期の整数倍のタイミングとなるので、カメラは20fpsで連写撮影できる。しかしながら、表示駆動方式がPAL方式である場合には、連写速度は16.6fpsに低下してしまう。
【００３９】
そこで、カメラ１では、表示駆動方式がNTSC方式およびPAL方式のどちらであっても、連写速度を設定値（いまの場合、20fps）から低下させることなく、連写撮影することができるように構成されている。
【００４０】
具体的には、カメラ１は、撮影動作モードとして、連写撮影を行う静止画モードをユーザが指定した場合、表示駆動方式を、動作設定情報に設定されている表示駆動方式に関わらず、現在の連写速度設定値が表示周期の倍数となる表示駆動方式に設定する。
【００４１】
例えば、連写速度が20fpsに設定されており、動作設定情報に設定されている表示駆動方式がPAL方式である場合には、表示駆動方式を、PAL方式ではなく、NTSC方式に変更して、20fpsの連写速度で連写撮影できるようにする。
【００４２】
ただし、表示駆動方式を、動作設定情報に設定されている表示駆動方式であるPAL方式から、NTSC方式に変更する場合には、上述したように、表示駆動方式を変更することによる黒画が発生するので、カメラ１は、黒画の発生回数をできるだけ少なくするように制御する。
【００４３】
即ち、本技術を適用したカメラ１は、連写速度を設定値（いまの場合、20fps）から低下させることなく、連写撮影することができるようにするとともに、黒画の発生回数をできるだけ少なくすることを目的とする制御を行う。
【００４４】
なお、以下の説明では、理解を容易にするため、カメラ１の不揮発メモリ３３に動作設定情報として記憶されている表示駆動方式がPAL方式であり、連写速度は20fpsに設定されているものとする。20fpsの連写速度はカメラ１で可能な最高連写速度であるが、最高連写速度以外の任意の連写速度における場合でも同様である。
【００４５】
また、以下の説明では、撮影動作モードが静止画を撮影する静止画モードに設定された場合、設定された連写枚数で連写撮影を行う連写撮影モードが選択されるものとして説明する。静止画モードには、連写撮影モードのほか、例えば、１枚の静止画を撮影する１枚撮影モードもある。
【００４６】
＜２．各画面と表示駆動方式の対応関係＞
図３は、制御部３２の制御によって表示パネル１８に表示される各画面と、その各画面の表示駆動方式との対応関係を示している。
【００４７】
表示パネル１８に表示される画面の種類には、PAL方式で駆動される、動画撮影画面G1、動画再生画面G2、及び、静止画再生画面G3と、NTSC方式で駆動される、静止画撮影画面G11、及び、静止画再生画面G12とがある。動画撮影画面G1と静止画撮影画面G11は、状態モードが撮影モードのときに表示される画面である。一方、動画再生画面G2、静止画再生画面G3、及び、静止画再生画面G12は、状態モードが再生モードのときに表示される画面である。
【００４８】
動作設定情報として記憶されている表示駆動方式がPAL方式であるため、動画を撮影する際の動画撮影画面G1と、撮影された動画を再生する際の動画再生画面G2は、いずれもPAL方式で表示される。従って、動画撮影画面G1および動画再生画面G2間の画面遷移S6では、表示駆動方式の変更がないので、黒画は発生しない。
【００４９】
一方、連写撮影モード（撮影モード）で静止画を撮影する際、表示駆動方式がPAL方式だと、連写速度は上述したように16.6fpsに低下してしまうので、制御部３２は、表示駆動方式を、20fpsの連写速度を実現するためにNTSC方式に変更する。したがって、連写撮影モード（撮影モード）で静止画を撮影する際の静止画撮影画面G11は、NTSC方式で表示される。
【００５０】
そのため、動画撮影画面G1および静止画撮影画面G11間の画面遷移S1、動画再生画面G2および静止画撮影画面G11間の画面遷移S2、並びに、静止画再生画面G3から静止画撮影画面G11への画面遷移S3では、表示駆動方式の切替えが発生し、黒画が発生する。また、静止画再生画面G12から動画再生画面G2への画面遷移S4でも、黒画が発生する。
【００５１】
一方、撮影された静止画を再生する場合、表示パネル１８の表示駆動方式は関係しないので、静止画再生画面は、その前の駆動方式から変えずに表示できる。したがって、連写撮影モードの静止画撮影画面G11から静止画再生画面G12への画面遷移S5では、黒画が発生しない。また、動画再生画面G2から静止画再生画面G3への画面遷移S7と、動画撮影画面G1から静止画再生画面G3への画面遷移S8でも、黒画は発生しない。
【００５２】
制御部３２は、以上のように画面の表示駆動方式を制御することで、ユーザが多く利用する操作フローであると考えられる、「静止画の撮影と再生を繰り返す操作」、「動画の撮影と再生を繰り返す操作」、および、「動画の再生と静止画の再生を繰り返す操作」において、黒画を発生させなくしている。その結果、カメラ１では、黒画の発生回数をできるだけ少なくすることができる。
【００５３】
なお、静止画撮影画面G11から静止画再生画面G3への画面遷移は、静止画撮影画面G11から静止画再生画面G12への画面遷移S5が優先されるため発生しない。また、動画再生画面G2から静止画再生画面G12への画面遷移は、動画再生画面G2から静止画再生画面G3への画面遷移S7が優先されるため発生しない。
【００５４】
＜３．連写撮影モードに変更時の駆動制御処理フロー＞
図４は、状態モードを再生モードから連写撮影モードに変更する操作が行われたときに実行される駆動制御処理を示すフローチャートである。
【００５５】
ここで、状態モードが再生モードから連写撮影モードに変更される場合は、状態モードが再生モードから撮影モードに変更された場合で、かつ、撮影動作モードが静止画モードであって、特に連写撮影モードが選択されている場合である。
【００５６】
この処理は、静止画再生画面G3から静止画撮影画面G11への画面遷移S3、静止画再生画面G12から静止画撮影画面G11への画面遷移S5、動画再生画面G2から静止画撮影画面G11への画面遷移S2において実行される。なお、再生モードから連写撮影モードへの変更には含まれないが、撮影動作モードを動画モードから連写撮影モードに変更したときの、動画撮影画面G1から静止画撮影画面G11への画面遷移S1においても、この処理が実行される。
【００５７】
状態モードが再生モードから連写撮影モードに変更される操作が行われると、ステップＳ１１において、制御部３２は、設定されている連写fps時間が現在の表示周期の倍数となっているかを判定する。
【００５８】
ここで、連写fps時間とは、所定の連写速度（fps）のときの静止画１枚の撮影時間（撮影周期）を表す。例えば、連写速度が20fpsである場合、１秒間に２０枚の連続撮影を行うので、静止画１枚の撮影時間（連写fps時間）は1/20秒である。例えば、表示パネル１８の表示駆動方式がPAL方式となっており、連写速度が20fpsである場合、連写fps時間は現在の表示周期（1／50秒）の倍数ではない。また例えば、表示パネル１８の表示駆動方式がNTSC方式となっており、連写速度が20fpsである場合、連写fps時間は現在の表示周期（1／60秒）の倍数である。
【００５９】
ステップＳ１１で、設定されている連写fps時間が現在の表示周期の倍数ではないと判定された場合、処理はステップＳ１２に進み、制御部３２は、表示駆動方式を切り替え、処理を終了する。表示駆動方式がPAL方式で、連写速度が20fpsである場合、表示駆動方式がPAL方式からNTSC方式に切り替えられる。
【００６０】
一方、ステップＳ１１で、設定されている連写fps時間が現在の表示周期の倍数であると判定された場合、ステップＳ１２の処理がスキップされ、そのまま処理が終了する。この場合、表示駆動方式は切り替えられない。
【００６１】
＜４．再生モード変更時の駆動制御処理フロー＞
図５は、図４の反対の操作、即ち、状態モードを連写撮影モードから再生モードに変更する操作が行われたときに実行される駆動制御処理を示すフローチャートである。
【００６２】
この処理は、静止画撮影画面G11から静止画再生画面G12への画面遷移S5、静止画撮影画面G11から動画再生画面G2への画面遷移S2において実行される。
【００６３】
状態モードを連写撮影モードから再生モードに変更する操作が行われると、ステップＳ２１において、制御部３２は、再生対象として指定されているコンテンツである再生コンテンツが静止画コンテンツであるかを判定する。
【００６４】
ステップＳ２１で、再生コンテンツが静止画コンテンツではない、即ち再生対象コンテンツが動画コンテンツであると判定された場合、処理はステップＳ２２に進み、制御部３２は、表示駆動方式を切り替え、処理を終了する。表示駆動方式がPAL方式からNTSC方式に切り替えられる。
【００６５】
一方、ステップＳ２１で、再生コンテンツが静止画コンテンツである判定された場合、ステップＳ２２の処理がスキップされ、処理が終了する。この場合、表示駆動方式は切り替えられない。
【００６６】
＜５．連写速度変更時の駆動制御処理フロー＞
図６は、連写撮影モードにおいて連写速度を変更する操作が行われたときに実行される駆動制御処理を示すフローチャートである。
【００６７】
連写撮影モードにおいて連写速度を変更する操作が行われると、ステップＳ３１において、制御部３２は、変更された連写速度の連写fps時間が現在の表示周期の倍数となっているかを判定する。
【００６８】
ステップＳ３１で、連写fps時間が現在の表示周期の倍数ではないと判定された場合、処理はステップＳ３２に進み、制御部３２は、表示駆動方式を切り替え、処理を終了する。例えば、現在の表示駆動方式がPAL方式である場合、表示駆動方式がPAL方式からNTSC方式に切り替えられる。
【００６９】
一方、ステップＳ３１で、連写fps時間が現在の表示周期の倍数であると判定された場合、ステップＳ３２の処理がスキップされ、そのまま処理が終了する。この場合、表示駆動方式は切り替えられない。
【００７０】
以上のように、連写速度が変更された場合には、変更された連写速度の連写fps時間が現在の表示周期の倍数となっているかどうかが判定され、表示駆動方式が制御される。
【００７１】
＜６．外部表示機器接続時の駆動制御処理フロー＞
図７は、外部出力端子１９に外部表示機器が接続されたときに実行される駆動制御処理を示すフローチャートである。
【００７２】
外部出力端子１９に外部表示機器が接続されたことが検出されると、ステップＳ４１において、制御部３２は、接続された外部表示機器に現在の表示周期が対応しているか、即ち、現在の表示駆動方式と外部表示機器の表示駆動方式が一致しているかを判定する。
【００７３】
ステップＳ４１で、接続された外部表示機器に現在の表示周期が対応していないと判定された場合、処理はステップＳ４２に進み、制御部３２は、表示駆動方式を切り替え、処理を終了する。例えば、現在の表示駆動方式がPAL方式で、外部表示機器の表示駆動方式がNTSC方式である場合、表示駆動方式がPAL方式からNTSC方式に切り替えられる。
【００７４】
一方、ステップＳ４１で、接続された外部表示機器に現在の表示周期が対応していると判定された場合、ステップＳ４２の処理がスキップされ、そのまま処理が終了する。この場合、表示駆動方式は切り替えられない。
【００７５】
図７の駆動制御処理では、接続された外部表示機器に表示駆動方式を合わせるように、表示駆動方式が制御される。したがって、外部表示機器の表示駆動方式によっては、変更後の表示周期の倍数が連写fps時間とならない場合があり、この場合、連写速度は、設定値よりも低くなることがある。そのため、例えば、動作設定情報によって、連写速度が低下しないことを優先する設定を可能とし、その設定が有効となっている場合には、接続された外部表示機器の表示駆動方式に合わせないように制御してもよい。
【００７６】
＜７．まとめ＞
以上のように、制御部３２は、静止画を連写撮影モードで撮影する際、静止画の撮影周期に応じて、表示パネル１８の駆動周波数を切り替える制御を行う。より具体的には、連写fps時間が現在の表示パネル１８の表示周期の倍数であるかに応じて、表示パネル１８の表示駆動方式が切り替えられる。
【００７７】
上述したように、例えば、動画撮影時の駆動方式がPAL方式であり、連写速度が20fpsに設定されている場合、連写fps時間（1／20秒）は現在の表示周期（1／50秒）の倍数ではないので、表示パネル１８の表示駆動方式が倍数となるNTSC方式に切り替えられる。
【００７８】
あるいはまた、例えば、動画撮影時の駆動方式がNTSC方式であり、連写速度が25fpsに設定されている場合、連写fps時間（1/25秒）は現在の表示周期（1／60秒）の倍数ではないので、表示パネル１８の表示駆動方式が倍数となるPAL方式に切り替えられる。
【００７９】
図８は、動画撮影時の駆動方式がNTSC方式であり、連写速度が25fpsに設定されている場合の、表示パネル１８に表示される各画面と、その各画面の表示駆動方式との対応関係を示している。
【００８０】
図８は、図３に対して、NTSC方式駆動とPAL方式駆動が入れ替わった関係にある。
【００８１】
このように、連写撮影を行う際には、連写fps時間が現在の表示周期の倍数となる駆動方式に変更することによって、動作設定情報に設定されている表示駆動方式に関わらず、所望の速度（最高連写速度）で連写撮影を行うことができる。
【００８２】
＜８．変形例＞
上述した実施の形態では、カメラ１において、表示パネル１８の駆動方式として、駆動周波数６０HzのNTSC方式と、駆動周波数５０HzのPAL方式の２種類が設定可能な場合の例について説明した。
【００８３】
しかし、本技術は、設定された連写速度に対応する連写fps時間が表示周期の倍数であるかどうかを判定し、駆動周波数を切り替えるものであるので、NTSC方式とPAL方式の表示駆動方式のみに限定されるものではなく、例えば、５４Hzなど、任意の駆動周波数であっても適用可能である。
【００８４】
また例えば、表示パネル１８で設定可能な駆動周波数の種類（数）も２種類ではなく、３種類以上としてもよい。
【００８５】
また、上述した実施の形態では、ユーザによって設定された連写速度を現在の駆動周波数で実行可能か否かを、設定されている連写速度に対応する連写fps時間が現在の表示周期の倍数となっているか否かを判定することにより、制御部３２が判断した。
【００８６】
しかし、例えば、図９に示されるような、連写速度と、その連写速度を実現可能な駆動周波数をテーブルとして予め記憶しておき、そのテーブルを参照することにより、設定された連写速度が現在の駆動周波数で実行可能か否かを判断し、必要に応じて切り替えるようにしてもよい。
【００８７】
図９のテーブルには、カメラ１で設定可能な連写速度として、２０fps、２５fps、２７fps、および、３０fpsがあり、それぞれの連写速度での連写撮影を可能とする駆動周波数が、対応付けて記憶されている。連写速度が２０fpsおよび３０fpsのときの駆動周波数は、６０Hzであり、連写速度が２５fpsのときの駆動周波数は、５０Hzであり、連写速度が２７fpsのときの駆動周波数は、５４Hzである。
【００８８】
図９は、連写速度と表示パネル１８の駆動周波数との対応テーブルの例であるが、テーブルは、画像の撮影周期と表示パネル１８の表示周期との対応を示すものであればよい。
【００８９】
＜９．コンピュータの例＞
本技術は、上述した撮像装置（デジタルビデオカメラを含む）に限らず、静止画と動画の撮影機能と、表示パネルに表示させる表示機能を備える任意の画像処理装置、例えば、スマートフォンなどの携帯端末、携帯ゲーム機、タブレット端末、携帯用音楽再生装置などの電子機器にも適用することができる。
【００９０】
また、上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているマイクロコンピュータや、各種のプログラムをインストールすることで、各種の機能を実行することが可能な、例えば汎用のパーソナルコンピュータなどが含まれる。
【００９１】
図１０は、上述した一連の処理をプログラムにより実行するコンピュータのハードウエアの構成例を示すブロック図である。
【００９２】
コンピュータにおいて、CPU（Central Processing Unit）１０１，ROM（Read Only Memory）１０２，RAM（Random Access Memory）１０３は、バス１０４により相互に接続されている。
【００９３】
バス１０４には、さらに、入出力インタフェース１０５が接続されている。入出力インタフェース１０５には、入力部１０６、出力部１０７、記憶部１０８、通信部１０９、及びドライブ１１０が接続されている。
【００９４】
入力部１０６は、キーボード、マウス、マイクロホンなどよりなる。出力部１０７は、ディスプレイ、スピーカなどよりなる。記憶部１０８は、ハードディスクや不揮発性のメモリなどよりなる。通信部１０９は、ネットワークインタフェースなどよりなる。ドライブ１１０は、磁気ディスク、光ディスク、光磁気ディスク、或いは半導体メモリなどのリムーバブル記録媒体１１１を駆動する。
【００９５】
撮像部１２１は、CCD(Charge Coupled Device)やCMOS（Complementary Metal Oxide Semiconductor）センサ等の撮像素子により構成される。撮像部１２１は、被写体を撮像し、撮像した被写体の画像データを、入出力インタフェース１０５を介してCPU１０１等に供給する。
【００９６】
以上のように構成されるコンピュータでは、CPU１０１が、例えば、記憶部１０８に記憶されているプログラムを、入出力インタフェース１０５及びバス１０４を介して、RAM１０３にロードして実行することにより、上述した一連の処理が行われる。
【００９７】
コンピュータでは、プログラムは、リムーバブル記録媒体１１１をドライブ１１０に装着することにより、入出力インタフェース１０５を介して、記憶部１０８にインストールすることができる。また、プログラムは、ローカルエリアネットワーク、インターネット、デジタル衛星放送といった、有線または無線の伝送媒体を介して、通信部１０９で受信し、記憶部１０８にインストールすることができる。その他、プログラムは、ROM１０２や記憶部１０８に、あらかじめインストールしておくことができる。
【００９８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９９】
本明細書において、フローチャートに記述されたステップは、記載された順序に沿って時系列的に行われる場合はもちろん、必ずしも時系列的に処理されなくとも、並列に、あるいは呼び出しが行われたとき等の必要なタイミングで実行されてもよい。
【０１００】
本技術の実施の形態は、上述した実施の形態に限定されるものではなく、本技術の要旨を逸脱しない範囲において種々の変更が可能である。
【０１０１】
例えば、上述した複数の機能の全てまたは一部を適宜組み合わせた形態を採用することができる。
【０１０２】
例えば、本技術は、１つの機能をネットワークを介して複数の装置で分担、共同して処理するクラウドコンピューティングの構成をとることができる。
【０１０３】
また、上述のフローチャートで説明した各ステップは、１つの装置で実行する他、複数の装置で分担して実行することができる。
【０１０４】
さらに、１つのステップに複数の処理が含まれる場合には、その１つのステップに含まれる複数の処理は、１つの装置で実行する他、複数の装置で分担して実行することができる。
【０１０５】
なお、本明細書に記載された効果はあくまで例示であって限定されるものではなく、本明細書に記載されたもの以外の効果があってもよい。
【０１０６】
なお、本技術は以下のような構成も取ることができる。
（１）
画像の撮影周期に応じて表示パネルの駆動周波数を切り替える制御を行う制御部
を備える画像処理装置。
（２）
前記制御部は、前記静止画１枚の撮影周期が現在の前記表示パネルの表示周期の倍数であるかに応じて、前記表示パネルの駆動周波数を切り替える
前記（１）に記載の画像処理装置。
（３）
前記制御部は、前記静止画１枚の撮影周期と前記表示パネルの表示周期との対応テーブルに応じて、前記表示パネルの駆動周波数を切り替える
前記（１）または（２）に記載の画像処理装置。
（４）
前記静止画１枚の撮影周期は、静止画を連写撮影するときの周期である
前記（１）乃至（３）のいずれかに記載の画像処理装置。
（５）
前記制御部は、前記表示パネルの駆動周波数として、NTSC方式の６０HzとPAL方式の５０Hzとを切り替える
前記（１）乃至（４）のいずれかに記載の画像処理装置。
（６）
静止画を撮影する撮影部と、前記表示パネルとをさらに備え、
前記制御部は、静止画を前記表示パネルに表示する場合には、前記表示パネルの駆動周波数を切り替えない
前記（１）乃至（５）のいずれかに記載の画像処理装置。
（７）
前記画像の撮影周期を動作設定情報として記憶する記憶部をさらに備え、
前記制御部は、前記動作設定情報として記憶されている前記画像の撮影周期に応じて、表示パネルの駆動周波数を切り替える制御を行う
前記（１）乃至（６）のいずれかに記載の画像処理装置。
（８）
ユーザによる前記画像の撮影周期の設定操作を受け付ける操作部をさらに備え、
前記制御部は、ユーザにより設定された前記画像の撮影周期に応じて、表示パネルの駆動周波数を切り替える制御を行う
前記（１）乃至（７）のいずれかに記載の画像処理装置。
（９）
前記制御部は、複数の画像を前記撮影周期で撮影する場合に、前記表示パネルの駆動周波数を切り替える制御を行う
前記（１）乃至（８）のいずれかに記載の画像処理装置。
（１０）
前記制御部は、再生モードから撮影モードに変更された場合に、前記画像の撮影周期に応じて表示パネルの駆動周波数を切り替える制御を行う
前記（１）乃至（９）のいずれかに記載の画像処理装置。
（１１）
前記制御部は、撮影モードから再生モードに変更された場合で、かつ、再生コンテンツが静止画である場合、前記表示パネルの駆動周波数を切り替えない
前記（１）乃至（１０）のいずれかに記載の画像処理装置。
（１２）
前記制御部は、外部表示機器が接続されたことが検出された場合に、前記外部表示機器の駆動方式に応じて、前記表示パネルの駆動周波数を切り替える制御をさらに行う
前記（１）乃至（１１）のいずれかに記載の画像処理装置。
（１３）
画像処理装置が、
画像の撮影周期に応じて表示パネルの駆動周波数を切り替える制御を行う
ステップを含む画像処理方法。
（１４）
コンピュータを、
画像の撮影周期に応じて表示パネルの駆動周波数を切り替える制御を行う制御部
として機能させるためのプログラム。
【符号の説明】
【０１０７】
１  カメラ，  １１  イメージセンサ，  １３  カメラ信号処理回路，  １７  表示用信号処理回路，  １８  表示パネル，  ２４  同期信号生成回路，  ３１  操作部，  ３２  制御部，  ３３  不揮発メモリ，  １０１  CPU，  １０２  ROM，  １０３  RAM，  １０６  入力部，  １０７  出力部，  １０８  記憶部，  １０９  通信部，  １１０  ドライブ，  １２１  撮像部
【図１】
2018092596.tif 000003
【図２】
2018092596.tif 000004
【図３】
2018092596.tif 000005
【図４】
2018092596.tif 000006
【図５】
2018092596.tif 000007
【図６】
2018092596.tif 000008
【図７】
2018092596.tif 000009
【図８】
2018092596.tif 000010
【図９】
2018092596.tif 000011
【図１０】
2018092596.tif 000012
【国際調査報告】
2018092596.tif 000013
2018092596.tif 000014
2018092596.tif 000015
2018092596.tif 000016